(57)【要約】【課題】様々な方向から容器に加わる衝撃を緩和することができ、しかも、内部に収容した中皿を容易に交換することができる化粧料容器を提供する。【解決手段】底板３ａと周側壁３ｂからなる中皿３と、中皿収容凹部１１が形成された容器本体１とを備える化粧料容器において、中皿収容凹部１１の底面１１ａまたは中皿底板３ａの下面との間に空洞Ｓ１を形成する中空状の凸部７ｄが賦形された底部７ａと、中皿収容凹部側面１１ｂまたは中皿周側壁３ｂの外周面との間に空洞Ｓ２を形成する中空状の凸部７ｅが賦形された側部７ｂと、この側部７ｂの内周面の所定位置に形成された係合部（突条７ｃ）とからなる略カップ状の可撓性緩衝材７を、中皿収容凹部１１内に配置し、この可撓性緩衝材７を介して、その周側壁３ｂの外周面に上記可撓性緩衝材７の係合部と係合する被係合部（凹溝３ｃ）が形成された中皿３を、上記中皿収容凹部１１内に着脱可能に収容保持する。【選択図】図１
2010166977.tif 000002
【特許請求の範囲】
【請求項１】
底板と周側壁からなる凹部に化粧料が充填される中皿と、この中皿を収容するための中皿収容凹部が形成された容器本体と、上記容器本体を蓋する蓋体とを備える化粧料容器であって、上記容器本体の中皿収容凹部の内面に沿って、上記中皿収容凹部の底面または上記中皿底板の下面との間に空洞を形成するよう中空凸状に賦形された底面クッション部を有する底部と、上記中皿収容凹部の壁面または上記中皿周側壁の外周面との間に空洞を形成するよう中空凸状に賦形された側面クッション部を有する側部と、この側部の内周面の所定位置に形成された係合部とからなる略カップ状の可撓性緩衝材が取り付けられ、上記中皿の周側壁外周面の所定位置には、上記可撓性緩衝材の係合部と係合する被係合部が形成されているとともに、上記中皿が、上記可撓性緩衝材を介して、上記中皿収容凹部内に着脱可能に収容保持されていることを特徴とする化粧料容器。
【請求項２】
上記可撓性緩衝材の係合部が、この可撓性緩衝材の側部内周面の周方向等配の位置に複数形成され、上記中皿の被係合部が、この中皿の周側壁外周面の周方向等配の位置に上記係合部と同数形成されて、これら各係合部および各被係合部が、互いに対峙する被係合部および係合部と係合するようになっている請求項１記載の化粧料容器。
【請求項３】
上記可撓性緩衝材の係合部が、この可撓性緩衝材の周方向に沿って内周面から突出する突条であり、上記中皿の被係合部が、この中皿周側壁の外周面に設けられた周方向の凹溝である請求項１または２記載の化粧料容器。
【発明の詳細な説明】
【技術分野】
【０００１】
本発明は、固形化粧料を充填した中皿を交換可能に収容するコンパクトケース等の化粧料容器に関するものである。
【背景技術】
【０００２】
従来から、ファンデーションやアイシャドー等の固形化粧料を充填した中皿（レフィル容器）を収容して携帯する化粧料容器として、コンパクトケース等が用いられている。このコンパクトケースは、化粧料が充填された中皿と、上面に上記中皿を収容するための凹部（中皿収容凹部）が形成された容器本体と、この容器本体の上面を蓋する蓋体とから構成されている。
【０００３】
また、コンパクトケースのなかには、上記中皿を中皿収容凹部に交換可能に収容したものがある。例えば、図４のように、容器本体（図示せず）の上面開口に嵌合固定される中枠１６に形成された中皿収容凹部１６ａの内部（凹部の壁面１６ｂ）に、左右一対の突条１６ｃ，１６ｃ’（係合部：ただし図４では右側の突条１６ｃ’は見えない）を設けるとともに、化粧料１４が充填された中皿１３の周側壁１３ａの外周面に、同じく左右一対の凹溝１３ｂ，１３ｂ’（被係合部：ただし図４では左側の凹溝１３ｂ’は見えない）を設け、この中皿１３を上記中枠１６の中皿収容凹部１６ａに押し込んで、各凹溝１３ｂ，１３ｂ’をそれぞれ対峙する各突条１６ｃ’，１６ｃに係合させることにより、上記中皿１３を着脱自在に保持する化粧料容器が開示されている（特許文献１を参照）。
【０００４】
なお、コンパクトケース等の中皿には、金属製の中皿（金皿）や樹脂製の中皿（樹脂皿）等が用いられるが、なかでも、軽量でかつ成形の自由度が大きいことから、中皿を交換可能に収納したコンパクトケースには、図５に示すような、周側壁３ｂの外周面に係合用の凹溝３ｃ（被係合部）を有する樹脂製の中皿３が多用されるようになってきている。
【０００５】
ところで、上記コンパクトケース等、固形化粧料を充填した中皿を収容した化粧料容器では、これを床上等に落下させてしまうと、この落下時の衝撃によって、中皿内の固形化粧料がひび割れたり、損傷したりするため、化粧料容器の容器本体と固形化粧料を収容する中皿との間に、シート状や球状等、種々の形状の中実弾性部材を介在配置し、この弾性部材（緩衝材）で落下時の衝撃を和らげるようにした構成が多数提案されている（例えば、特許文献２，３等を参照）。
【０００６】
また、この落下時の衝撃を緩和する別の手段として、中皿を中枠により中皿収容凹部内に吊り下げる構成（特許文献４）や、上記容器本体の係合部と中皿の被係合部との係合により、この中皿の下面と中皿収容凹部の底面との間に隙間を開け、中皿を浮かせた状態で支持する構成（特許文献５）等が提案されている。
【先行技術文献】
【特許文献】
【０００７】
【特許文献１】特開２００５−２７０１９４号公報
【特許文献２】特開２００７−７５５４２号公報
【特許文献３】特開２００７−２９２３４号公報
【特許文献４】特開２００５−３０４８５０号公報
【特許文献５】特開２００８−９３１０３号公報
【発明の概要】
【発明が解決しようとする課題】
【０００８】
しかしながら、上記のような、中実の弾性部材（緩衝材）により中皿を支受する化粧料容器は、容器落下時の衝撃が、弾性部材に吸収されると同時にその内部（中実部）を通って中皿にも伝達され、充分な緩衝効果を得ることができないという問題があった。しかも、上記緩衝材が中実であるため、撓み量が小さく、この点においても緩衝効果に劣る。
【０００９】
また、中皿を上記中皿収容凹部の底面との間に隙間を開けた状態で支受する化粧料容器は、容器上下方向（特に容器下方向）からの衝撃が中皿に伝達されず、充分な緩衝効果を得ることができるものの、それ以外の容器縦横方向、すなわち、容器の左右方向や容器前後方向、あるいは、最も衝撃が大きいとされる容器の角部方向から衝撃を受けた場合は、充分に衝撃荷重を吸収しきれないおそれがあり、その改善が望まれている。
【００１０】
本発明は、このような事情に鑑みてなされたもので、様々な方向から容器に加わる衝撃を緩和することができ、しかも、内部に収容した中皿を容易に交換することができる化粧料容器の提供をその目的とする。
【課題を解決するための手段】
【００１１】
上記の目的を達成するため、本発明は、底板と周側壁からなる凹部に化粧料が充填される中皿と、この中皿を収容するための中皿収容凹部が形成された容器本体と、上記容器本体を蓋する蓋体とを備える化粧料容器であって、上記容器本体の中皿収容凹部の内面に沿って、上記中皿収容凹部の底面または上記中皿底板の下面との間に空洞を形成するよう中空凸状に賦形された底面クッション部を有する底部と、上記中皿収容凹部の壁面または上記中皿周側壁の外周面との間に空洞を形成するよう中空凸状に賦形された側面クッション部を有する側部と、この側部の内周面の所定位置に形成された係合部とからなる略カップ状の可撓性緩衝材が取り付けられ、上記中皿の周側壁外周面の所定位置には、上記可撓性緩衝材の係合部と係合する被係合部が形成されているとともに、上記中皿が、上記可撓性緩衝材を介して、上記中皿収容凹部内に着脱可能に収容保持されている化粧料容器を第１の要旨とする。
【００１２】
また、本発明は、そのなかでも、上記可撓性緩衝材の係合部が、この可撓性緩衝材の側部内周面の周方向等配の位置に複数形成され、上記中皿の被係合部が、この中皿の周側壁外周面の周方向等配の位置に上記係合部と同数形成されて、これら各係合部および各被係合部が、互いに対峙する被係合部および係合部と係合するようになっている化粧料容器を第２の要旨とする。
【００１３】
さらに、本発明は、そのなかでも、特に、上記可撓性緩衝材の係合部が、この可撓性緩衝材の周方向に沿って内周面から突出する突条であり、上記中皿の被係合部が、この中皿周側壁の外周面に設けられた周方向の凹溝である化粧料容器を第３の要旨とする。
【発明の効果】
【００１４】
本発明は、固形化粧料を充填した中皿（レフィル容器）を備える化粧料容器において、この中皿を容器本体の落下衝撃等から保護する緩衝材として、内部空洞（凹状空間）が潰れることにより、そのエアークッション作用によって衝撃荷重を効果的に吸収することができる中空形状の凸部を、上記中皿底板に接する底部と中皿周側壁に接する側部の双方に備えるカップ状可撓性緩衝材を用いるとともに、このカップ状可撓性緩衝材の側部に、上記中皿を着脱自在に係合することのできる中皿支持構造を一体に付与することにより、所期の目的を達成しようとするものである。
【００１５】
すなわち、本発明の化粧料容器では、上記中空凸状に賦形された底面クッション部および側面クッション部を備える略カップ状の可撓性緩衝材が、容器本体の中皿収容凹部と中皿との間に介装されていることから、化粧料容器の落下時に容器本体がその下方向から衝撃を受けた場合、上記底面クッション部の中空状凸部がその内部の空洞（凹状空間）を押し潰すように変形することにより、そのエアークッション作用によって衝撃荷重を効果的に吸収することができる。また、容器本体がその左右方向や前後方向あるいは本体角部方向から衝撃を受けた場合も、同様に、上記側面クッション部の中空状凸部がその内部の空洞を押し潰すように変形することによって、中皿に加わる衝撃荷重がすばやく吸収される。
【００１６】
さらに、上記カップ状可撓性緩衝材は、上記凸部の内部に形成された空洞（凹状空間）のために、従来の中実の緩衝部材を用いた化粧料容器に比べ、衝撃吸収時の撓み量（変形許容量）が大きく、その緩衝効果が高いという利点を有する。したがって、本発明の化粧料容器は、外部からの衝撃が中皿に伝達されにくく、容器直上方向を除く全ての方向からの衝撃に対し、上記中皿に充填された固形化粧料の割れ等を、効果的に防止することができる。
【００１７】
そして、上記可撓性緩衝材は略カップ状で、かつ、上記各クッション部が賦形によって他の部分と一体的に形成されているため、製作が簡単である。しかも、上記可撓性緩衝材の側部には、中皿側の被係合部と係合する容器本体側の係合部が、上記側面クッション部と一体に形成されていることから、追加の部品や余計な手間をかけることなく、上記中皿を中皿収容凹部内に容易に組み込むことが可能である。したがって、本発明の化粧料容器は、従来の化粧料容器と同等の生産性で、効率よく組み立てることができる。
【００１８】
なお、本発明の化粧料容器のカップ状可撓性緩衝材は、上述のように、容器本体の縦横・前後方向あるいは本体上下方向への変形許容量が大きいため、この化粧料容器がユーザーの手に渡った後も、上記各クッション部の変形により、中皿の着脱・交換を、ユーザーが自身の手で簡単に行なうことが可能である。
【００１９】
また、本発明において、そのなかでも、上記可撓性緩衝材の係合部が、この可撓性緩衝材の側部内周面の周方向等配の位置に複数形成され、上記中皿の被係合部が、この中皿の周側壁外周面の周方向等配の位置に上記係合部と同数形成されて、これら各係合部および各被係合部が、互いに対峙する被係合部および係合部と係合するようになっている場合は、中皿が上記カップ状可撓性緩衝材の内部にしっかりと保持され、落下時の衝撃等によっても飛び出したり、外れたりすることがなく、好適である。しかも、これら係合部と被係合部の係合位置（すなわち、中皿の支持位置）が周方向等分の位置に分散していることから、容器の左右方向や前後方向あるいは容器の角部方向等、どのような方向から受けた衝撃にも対応することができる。なお、これら係合部と被係合部との係合は、その上下方向の動き（ずれ）により衝撃荷重を吸収することから、中皿の容器上下方向の衝撃を緩和する緩衝手段としても機能する。
【００２０】
さらに、本発明において、そのなかでも、特に、上記可撓性緩衝材の係合部が、この可撓性緩衝材の周方向に沿って内周面から突出する突条であり、上記中皿の被係合部が、この中皿周側壁の外周面に設けられた周方向の凹溝であるものは、従来から一般的に用いられている形状の中皿を、変更することなくそのまま使用することができるという利点を有する。したがって、本発明の適用による化粧料容器のコストアップを、最小限に抑えることができる。
【図面の簡単な説明】
【００２１】
【図１】（ａ）は本発明の実施形態における化粧料容器の構造を示す縦方向断面図であり、（ｂ）はそのＰ部拡大図である。
【図２】本実施形態の化粧料容器から中皿を除いた状態を示す斜視図である。
【図３】本実施形態の化粧料容器に用いられる可撓性緩衝材の構造を示す斜視図である。
【図４】従来の化粧料容器の構成を示す説明図である。
【図５】化粧料容器に用いられている中皿の構造を示す斜視図である。
【発明を実施するための形態】
【００２２】
つぎに、本発明の実施の形態を、図面にもとづいて詳しく説明する。ただし、本発明は、この実施の形態に限定されるものではない。
【００２３】
図１（ａ）は、本実施形態における化粧料容器の構造を模式的に示す縦方向の断面図であり、図１（ｂ）はそのＰ部拡大図である。また、図２は、この化粧料容器の蓋体２を開け、中皿３を取り出した状態を示す説明図であり、図３は、この化粧料容器に用いられている可撓性緩衝材７の外観斜視図である。なお、各図における可撓性緩衝材７は、その厚みを強調して図示している。また、ユーザーの操作を考慮して、蓋体２のラッチ側を容器の手前側、蓋体２のヒンジ側を奥側とし、化粧料容器（コンパクト）の手前−奥側方向を前後方向（ｙ軸方向）、手前側から奥側に向かって容器の左右をそのまま左右方向（ｘ軸方向）、容器の天地方向および蓋の開閉方向を上下方向（ｚ軸方向）として説明する。
【００２４】
本実施形態における化粧料容器は、パウダーファンデーション等の固形化粧料４が内部に充填された中皿（レフィル）３を、交換可能に収容することのできるコンパクトケースであり、中皿収容凹部１１を有する容器本体１と、この容器本体１に装着されて化粧用具収容凹部６ａと仕切り壁６ｂおよび上記中皿収容凹部１１用の開口を形成する中枠６と、上記容器本体１の上面を開閉自在に蓋する蓋体２と、上記化粧料４が充填された中皿３と、蓋体２の裏面に固定された鏡５等を主体として構成されている。
【００２５】
また、上記中皿３（図５参照）は、底板３ａおよび周側壁３ｂからなる略カップ状の樹脂皿であり、その周側壁３ｂの外周面には、後述する可撓性緩衝材７の係合部（突条７ｃ，７ｃ’）と係合する被係合部（凹溝３ｃ）が一周にわたって設けられており、その内周面には、内部に充填される固形化粧料４の抜けを防止するための凹溝３ｄ，３ｄが形成されている。なお、略方形状の上記中皿３の長径および短径は、中皿収容凹部１１の上部開口の長径（ｘ軸方向）および短径（ｙ軸方向）より若干小さく形成されており、この中皿３は、中皿収容凹部１１の内面（底面１１ａおよび側面１１ｂ）に沿って取り付けられた可撓性緩衝材７を介して、上記中皿収容凹部１１内に収容保持されている。
【００２６】
上記可撓性緩衝材７は、図３に示すように、底部７ａおよび側部７ｂと仕切り壁部７ｂ’とからなる略カップ状で、上記仕切り壁部７ｂ’の内側面とこれに対向する側部７ｂの内側面（内周面）の一部には、上記中皿３の凹溝３ｃと係合する突条７ｃ，７ｃ’が設けられている。また、上記可撓性緩衝材７の底部７ａには、平面視円形状で、かつ、その断面が円弧状に浮き上がった凸状（中空形状）の多数の底面凸部７ｄ，７ｄ，・・・からなる底面クッション部が形成されており、その側部７ｂには、その上下（ｚ軸）方向に沿って、断面が容器内側方向に向かって円弧状に浮き上がった凸条（中空形状）の側面凸部７ｅ，７ｅ，・・・が、周方向に等間隔で多数形成されており、上記仕切り壁部７ｂ’を除く側部７ｂ全面が側面クッション部を構成している。
【００２７】
なお、これら中空形状の底面凸部７ｄおよび側面凸部７ｅは、プレス成形や型成形等を用いて、可撓性緩衝材７全体の成形と同時に一体に成形（賦形）されており、中皿収容凹部１１内に配設されたときには、中皿収容凹部１１の底面１１ａおよび側面１１ｂとの間に、エアークッションとなる空洞（凹状空間）Ｓ１およびＳ２を多数形成する（図１参照）。
【００２８】
そして、上記可撓性緩衝材７は、図１のように、容器本体１の中皿収容凹部１１内に嵌入され、その底部７ａの下面のうち、上記各底面凸部７ｄ以外の、浮き上がっていない部分を用いて、上記中皿収容凹部１１の底面１１ａに予め塗工されたホットメルト接着剤等（図示せず）により、上記底面１１ａに接着固定されている。また、上記中皿３が可撓性緩衝材７内に挿入された際には、この可撓性緩衝材側の突条７ｃ，７ｃ’が上記中皿３の凹溝３ｃに嵌まり込み、中皿３を所定位置で弾力的に支受する。
【００２９】
なお、可撓性緩衝材７の仕切り壁部７ｂ’と、中枠６における仕切り壁６ｂの中央部分とは、この可撓性緩衝材７の側部７ｂや仕切り壁６ｂの前後方向両端部に比べて低く形成されており、上記中皿収容凹部１１に嵌入された中皿３の周側壁３ｂの一部を露出させることによって、この中皿３の着脱や交換を容易にしている。
【００３０】
上記の構成によれば、化粧料容器が、外部からの衝撃、例えば落下時の衝撃を受けても、その衝撃が、容器本体１から直接中皿３に伝達されることがない。すなわち、上記可撓性緩衝材７の底面クッション部が、多数の中空状底面凸部７ｄにより上記中皿３を浮き上がらせて支受しているため、衝撃吸収時の撓み量（変形許容量）が大きく、容器下方向から受けた衝撃荷重は、これら各底面凸部７ｄの下側の空洞Ｓ１が押し潰されて変形することにより、すばやく、かつ、確実に吸収・緩和することができる。
【００３１】
また、化粧料容器が容器上方向から衝撃を受けた場合は、容器本体１側の係合部（可撓性緩衝材７側の突条７ｃ，７ｃ’）と中皿３側の被係合部（凹溝３ｃ）とがしっかり係合していることから、これら各突条７ｃ，７ｃ’に繋がる可撓性緩衝材７の側部７ｂ（側面凸部７ｅ）と仕切り壁部７ｂ’の変形によって、この衝撃荷重が吸収・緩和され、上記中皿３が中皿収容凹部１１から飛び出すことがない。
【００３２】
そして、上記底面クッション部と同様、上記可撓性緩衝材７の側面クッション部が、多数の中空状側面凸部７ｅにより上記中皿３を中皿収容凹部１１の側面１１ｂから離間して支受していることから、容器本体がその縦横方向あるいは本体角部方向から衝撃を受けた場合も、その衝撃荷重は、これら各側面凸部７ｅの外側の空洞Ｓ２が押し潰されて変形することにより、すばやく、かつ、確実に吸収・緩和することができる。
【００３３】
したがって、本実施形態における化粧料容器は、様々な方向から容器に加わる衝撃が中皿３に伝達されにくく、優れた緩衝効果を奏する。また、底部クッション部および側部クッション部の相乗効果により、特に落下衝撃が大きいとされる、本体角部方向からの衝撃に対し、上記中皿３に充填された固形化粧料４の割れ等を防止することができる。
【００３４】
また、上記可撓性緩衝材７は、全体が略カップ状で、そのクッション部（底面凸部７ｄ，側面凸部７ｅ等）および係合部（突条７ｃ等）をプレス成形や型成形によって一体的に形成することができる。さらに、製造が簡単なだけでなく、これを、接着剤や両面テープ等を利用して、上記中皿収容凹部１１の底面１１ａに簡単かつ安定的に固定することができ、しかも、可撓性緩衝材７に保持された中皿３の着脱や交換が容易であるという利点も備える。
【００３５】
なお、上記の実施形態においては、底面・側面クッション部および係合部を有する可撓性緩衝材７の一形状例を示したが、可撓性緩衝材７に形成された底面クッション部の凸部７ｄの形状および配置は、上記の例に限らず、上記中皿収容凹部１１の底面１１ａまたは上記中皿３の底板３ａの下面との間に空洞（部分的な閉空間）をつくることのできる形状であれば、どのような形状であってもよい。また、側面クッション部の凸部７ｅの形状および配置も、同様に、上記中皿収容凹部１１の側面１１ｂまたは上記中皿３の周側壁３ｂの外周面との間に空洞（部分的な閉空間）をつくることのできる形状であれば、どのような形状であってもよい。
【００３６】
例えば、凸部７ｄおよび凸部７ｅの断面形状が、上記半球状のものの他、台形状になるもの、四角状になるもの、あるいはその頂部に穴が空いているもの等があげられる。また、各クッション部を構成する凸部７ｄおよび凸部７ｅが、多数分布形成されたものである必要はなく、例えば、底面クッション部を適宜配置された凸条から形成してもよく、側面クッション部を周方向等配に配置された凸部から形成してもよい。もちろん、各クッション部を種々の形状・配置の凸部および凸条の組み合わせとしてもよく、その全体に凸状が連続する波型としてもよい。
【００３７】
また、上記の例において、可撓性緩衝材７は、一定の弾力性と衝撃に対して容易に変形する柔軟性を備えていることが重要で、そのためには、硬度（ショアＡ硬度）が、５〜７０°であることが好ましく、なかでも１０〜６０°の範囲内に設定されていることが特に好適である。そして、上記可撓性緩衝材７の肉厚は、０．２５〜２．０ｍｍの範囲内に設定されることが好ましく、突出したクッション部（凸部７ｄおよび凸部７ｅ）の突出量（荷重がかかっていない状態での高さ）は、１．５〜３．０ｍｍの範囲内に設定されることが好ましい。このような可撓性緩衝材７を構成する材料としては、可撓性を有する材料、例えばシリコンゴム，エチレン−プロピレン共重合ゴム（ＥＰＤＭ），ウレタンゴム等の各種のゴムや、シリコン樹脂等の各種の合成樹脂材料、各種のエラストマー材料が用いられる。
【００３８】
そして、上記可撓性緩衝材７と中皿収容凹部１１の底面１１ａとの接着には、上記の例のようにホットメルト接着剤を用いる以外に、ＵＶ硬化型接着剤や、両面テープ等を用いることもできる。なお、上記中枠６が容器本体１にしっかりと装着され、可撓性緩衝材７が飛び出す心配がないのであれば、上記可撓性緩衝材７を接着固定しなくても差し支えない。
【００３９】
また、容器本体１側の係合部と中皿３側の被係合部の形状，配置や組み合わせも、上記例のような突条７ｃ，７ｃ’と凹溝３ｃの組み合わせに限定されるものではなく、互いに嵌め合い、係合することのできる形状・配置であれば、どのような構成でもよい。例えば、半球状等の突起・凸部と凹状の穴・孔の組み合わせ等を、互いに対向する可撓性緩衝材側部７ｂの内周面と中皿周側壁３ｂの外周面の全周にわたって、それぞれ形成する構成や、逆に、容器本体１（可撓性緩衝材７）側に凹部を設け、中皿３側に凸部を設ける等の構成としてもよい。
【００４０】
さらに、上記の例は、中皿３として樹脂皿を用いているが、本発明は、中皿３として金皿を用いる場合にも適用することができる。ただし、金皿の場合も、その周側壁の外周面に、上記可撓性緩衝材７の係合部と係合する被係合部（例えば凹溝等）を予め形成しておく必要がある。
【００４１】
なお、中皿３の形状も、丸状，四角状等、どのような形状でもよく、本発明は、複数の中皿３をパレット様に配設したコンパクトケース等にも適用できうることは、いうまでもない。
【産業上の利用可能性】
【００４２】
本発明の化粧料容器は、ファンデーション，アイカラー，チーク等の固形化粧料を充填した中皿（レフィル容器）を交換可能に内部に収容するコンパクトケース等、ユーザーが携帯して使用する化粧料容器に適する。
【符号の説明】
【００４３】
１  容器本体
２  蓋体
３  中皿
３ａ  底板
３ｂ  周側壁
３ｃ  凹溝
４  化粧料
７  可撓性緩衝材
７ａ  底部
７ｂ  側部
７ｃ  突条
７ｄ  底面凸部
７ｅ  側面凸部
１１  中皿収容凹部
１１ａ  底面
１１ｂ  側面
Ｓ１，Ｓ２  空洞
【図１】
2010166977.tif 000003
【図２】
2010166977.tif 000004
【図３】
2010166977.tif 000005
【図４】
2010166977.tif 000006
【図５】
2010166977.tif 000007